(57)【要約】      （修正有）【課題】動画像の編集時に、コンテンツを購入する手間をなくすとともに、数多くのコンテンツを試すことができるようにする。【解決手段】サーバ装置８は、ユーザがネットワークを介してアップロードした少なくとも1つの動画像を含む素材と、記憶部７に記憶されている有料コンテンツをネットワーク１３に接続された端末装置３におけるユーザの操作に応じて編集してビデオデータを作成する編集部と、編集部が作成したビデオデータをビデオ作品としてネットワークを介して公開する公開部と、有料コンテンツに対するライセンス料を課金する課金部と、を備える。課金部は、ビデオ作品として公開されたビデオデータに使用されている有料コンテンツに対するライセンス料を課金し、編集部での編集過程においてビデオデータを編集する時に一時的に使用された有料コンテンツに対するライセンス料は課金しない。【選択図】図１
2013125346.tif 000002
【特許請求の範囲】
【請求項１】
ネットワークを介して受信した動画像を編集して公開するサーバ装置であって、
前記ネットワークを介して情報を送受信する通信部と、
有料コンテンツを記憶する記憶部と、
ユーザが前記ネットワークを介してアップロードした少なくとも1つの動画像を含む素材と、前記記憶部に記憶されている前記有料コンテンツを、前記ネットワークに接続された端末装置におけるユーザの操作に応じて編集してビデオデータを作成する編集部と、
前記編集部が作成したビデオデータをビデオ作品として前記ネットワークを介して公開する公開部と、
前記有料コンテンツに対するライセンス料を、前記端末装置を操作したユーザに課金する課金部と、を備え、
前記課金部は、前記ビデオ作品として公開されたビデオデータに使用されている有料コンテンツに対するライセンス料を課金し、前記編集部での編集過程においてビデオデータを編集する時に一時的に使用された有料コンテンツに対するライセンス料は課金しないことを特徴とするサーバ装置。
【請求項２】
前記通信部は、前記端末装置から送信された、当該端末装置が実行する所定のプログラムにより検出されたユーザの操作に対応する信号を受信し、
前記編集部は、前記ユーザの操作に対応する信号に対応して、前記素材と前記有料コンテンツを編集して前記ビデオデータを作成することを特徴とする請求項１に記載のサーバ装置。
【請求項３】
前記所定のプログラムは、前記端末装置においてＷｅｂページを表示するＷｅｂブラウザであり、
前記サーバ装置は、前記端末装置で表示される前記Ｗｅｂページを生成するＷｅｂページ生成部を更に備え、
前記Ｗｅｂページ生成部は、当該サーバ装置の編集部を操作するためのＷｅｂページを生成し、前記通信部は、前記生成された当該サーバ装置の編集部を操作するためのＷｅｂページを前記端末装置に送信することを特徴とする請求項２に記載のサーバ装置。
【請求項４】
前記サーバ装置は、前記有料コンテンツの品質を低下させる品質低下部を更に備え、
前記編集部は、前記編集過程においては前記少なくとも1つの動画像を含む素材と、前記品質低下部で品質を低下させた前記有料コンテンツとを合成してビデオデータを作成し、
前記公開部が公開するビデオ作品は、前記少なくとも1つの動画像を含む素材と、品質を低下さない前記有料コンテンツとを合成して、前記編集部が作成したビデオデータであることを特徴とする請求項１に記載のサーバ装置。
【請求項５】
前記有料コンテンツは音声であって、
前記品質低下部は、前記音声の帯域を所定の幅に低減し、
前記編集部は、前記編集過程においては前記少なくとも1つの動画像を含む素材と前記帯域が低減された音声とを合成してビデオデータを作成することを特徴とする請求項４に記載のサーバ装置。
【請求項６】
前記品質低下部は、データ圧縮部とデータ伸長部とを備え、前記有料コンテンツの品質を、前記データ圧縮部で非可逆圧縮された後前記データ伸長部で伸長されることによって低下させ、
前記編集部は、前記編集過程においては前記少なくとも1つの動画像を含む素材と前記品質を低下させた有料コンテンツとを合成してビデオデータを作成することを特徴とする請求項４に記載のサーバ装置。
【請求項７】
前記サーバ装置は、課金口座の情報を含む会員情報を登録する会員管理データベースと、前記会員管理データベースに登録された会員情報により会員を認証する会員認証部と、を更に備え、
前記ユーザは、前記会員認証部により認証された会員であり、前記課金部は、前記会員に対して課金することを特徴とする請求項１から６のいずれか一つに記載のサーバ装置。
【請求項８】
前記課金部は、
有料会員に対しては、所定期間毎に所定の会費を課金し、
前記有料会員についてのみ、前記ビデオ作品として公開されたビデオデータに使用されている有料コンテンツに対するライセンス料を課金するが、前記編集部で編集過程においてビデオデータを編集する時に一時的に使用された有料コンテンツに対するライセンス料は課金しないことを特徴とする請求項７に記載のサーバ装置。
【請求項９】
ネットワークを介して端末装置に接続されたサーバ装置において使用される処理方法であって、
ユーザが前記サーバ装置にアップロードした少なくとも１つの動画像を含む素材を記憶する記憶ステップと、
前記少なくとも1つの動画像を含む素材と有料コンテンツとを、前記端末装置における前記ユーザの操作に応じて編集してビデオデータを作成する編集ステップと、
前記編集ステップで作成されたビデオデータに使用されている有料コンテンツのライセンス料の情報を前記端末装置に送信する情報送信ステップと、
前記端末装置から、前記ライセンス料の支払いを承諾する確認を受信した場合に、前記編集ステップで作成されたビデオデータをビデオ作品として前記ネットワークを介して公開する公開ステップと
前記ユーザに、前記公開したビデオデータに使用されている有料コンテンツの前記ライセンス料を課金する課金ステップと、を含み、
前記編集ステップで一時的に使用される有料コンテンツのライセンス料は課金されないことを特徴とする処理方法。
【請求項１０】
前記編集ステップにおいて、前記端末装置から送信され、当該端末装置が実行する所定のプログラムにより検出された前記ユーザの操作に対応する信号を受信し、前記ユーザの操作に対応する信号に対応して前記素材と前記有料コンテンツとを編集して前記ビデオデータを作成することを特徴とする請求項９に記載の処理方法。
【請求項１１】
前記所定のプログラムは、前記端末装置においてＷｅｂページを表示するＷｅｂブラウザであり、
前記処理方法は、前記端末装置の前記Ｗｅｂブラウザで表示されるＷｅｂページ生成し、前記端末装置に送信するＷｅｂページ送信ステップを更に含み、
前記編集ステップは、前記端末装置から送信された、前記Ｗｅｂページ送信ステップで前記端末装置に送信されたＷｅｂページ上のユーザの操作に対応する前記信号を受信し、前記ユーザの操作に対応する信号に対応して前記素材と前記有料コンテンツとを編集して前記ビデオデータを作成することを特徴とする請求項１０に記載の処理方法。
【請求項１２】
前記編集ステップは、前記有料コンテンツの品質を低下させる品質低下ステップを含み、
前記編集ステップにおいて、前記少なくとも1つの動画像を含む素材と前記品質低下ステップで品質を低下させた前記有料コンテンツとが合成されて前記ビデオデータが作成され、
前記公開ステップにおいて、前記少なくとも1つの動画像を含む素材と品質を低下さない前記有料コンテンツとが合成されたビデオデータが作成されることを特徴とする請求項９に記載の処理方法。
【請求項１３】
前記有料コンテンツは音声であって、
前記品質低下ステップにおいて、前記音声の帯域が所定の幅に低減され、
前記編集ステップにおいて、前記少なくとも1つの動画像を含む素材と前記帯域が低減された音声とが合成されて前記ビデオデータを作成されることを特徴とする請求項１２に記載の処理方法。
【請求項１４】
前記品質低下ステップは、データ圧縮ステップとデータ伸長ステップを含み、前記有料コンテンツの品質を、前記データ圧縮ステップで非可逆圧縮された後前記データ伸長ステップで伸長されることによって低下させ、
前記編集ステップにおいて、前記少なくとも1つの動画像を含む素材と前記品質を低下させたコンテンツとが合成されて前記ビデオデータが作成されることを特徴とする請求項１２に記載の処理方法。
【請求項１５】
前記処理方法は、前記記憶ステップの前に、課金口座の情報を含む会員情報を、会員管理データベースに登録する会員登録ステップを更に有し、
前記ユーザは、前記会員登録ステップにおいて、会員情報を前記会員管理データベースに登録された会員であり、
前記課金ステップにおいて、前記会員は課金されることを特徴とする請求項９から１４のいずれか一つに記載の処理方法。
【請求項１６】
前記処理方法は、有料会員に対しては、所定期間ごとに所定の課金を課金する会費課金ステップを更に含み、
前記有料会員についてのみ、前記課金ステップにおいて前記ビデオ作品として公開されたビデオデータに使用されている有料コンテンツに対するライセンス料を課金するが、前記編集部で編集過程においてビデオデータを編集する時に一時的に使用された有料コンテンツに対するライセンス料は課金しないことを特徴とする請求項１５に記載の処理方法。
【発明の詳細な説明】
【技術分野】
【０００１】
本発明は、サーバ装置、及び、サーバ装置における処理方法に関する。
【背景技術】
【０００２】
静止画像の場合と異なり、カメラで撮影された動画像を他人に見せる場合にはある程度編集して作品化してからでないと鑑賞に耐えない場合が多い。動画像（ビデオデータ）の編集において、撮影された画像の切り貼り等の処理が行われる他、音楽などの著作権付きの有料コンテンツが付加されることも少なくない。一般に、有料コンテンツの一部のみを使用する場合であっても、コンテンツ全体を購入する必要がある。一方、編集により作成した動画像をビデオ作品としてＷｅｂページで一般に公開する場合に、作成者は、コンテンツの著作権使用料を支払う必要がある。また、最終的に完成したビデオ作品に使用するか否かに関わらず、編集時に試すコンテンツを全て保有していなければならないのは、作成者にとって負担が大きい。
【０００３】
特許文献１には、二次利用を目的としてコンテンツを分割し、各部分ごとに二次利用の可否を管理するシステムが開示されている。そして、ある部分は、無償利用が許可されている。
【先行技術文献】
【特許文献】
【０００４】
【特許文献１】特開２００４−１１１８３２４号公報
【発明の開示】
【発明が解決しようとする課題】
【０００５】
しかしながら、特許文献１では、無償利用が許可された部分が、ビデオ作成者の希望する部分に一致するとは限らない。従って、結局、ビデオデータの編集時に一時的に試してみる場合でも、作成者は編集時に著作権付きのコンテンツを購入する必要が生じる。
【０００６】
本発明は、動画像（ビデオデータ）の編集時に、コンテンツを購入するユーザの手間をなくすとともに、ユーザが数多くのコンテンツを試すことができるようにすることを目的とする。
【課題を解決するための手段】
【０００７】
本発明のある態様に係るサーバ装置は、ネットワークを介して受信した動画像を編集して公開するサーバ装置であって、前記ネットワークを介して情報を送受信する通信部と、有料コンテンツを記憶する記憶部と、ユーザが前記ネットワークを介してアップロードした少なくとも1つの動画像を含む素材と、前記記憶部に記憶されている前記有料コンテンツを、前記ネットワークに接続された端末装置におけるユーザの操作に応じて編集してビデオデータを作成する編集部と、前記編集部が作成したビデオデータをビデオ作品として前記ネットワークを介して公開する公開部と、前記有料コンテンツに対するライセンス料を、前記端末装置を操作したユーザに課金する課金部と、を備える。前記課金部は、ビデオ作品として公開されたビデオデータに使用されている有料コンテンツに対するライセンス料を課金し、前記編集部での編集過程においてビデオデータを編集する時に一時的に使用された有料コンテンツに対するライセンス料は課金しない。
【０００８】
本発明の別の態様に係る処理方法は、ネットワークを介して端末装置に接続されたサーバ装置において使用される処理方法であって、ユーザが前記サーバ装置にアップロードした少なくとも１つの動画像を含む素材を記憶する記憶ステップと、前記少なくとも1つの動画像を含む素材と有料コンテンツとを、前記端末装置における前記ユーザの操作に応じて編集してビデオデータを作成する編集ステップと、前記編集ステップで作成されたビデオデータに使用されている有料コンテンツのライセンス料の情報を前記端末装置に送信する情報送信ステップと、前記端末装置から、前記ライセンス料の支払いを承諾する確認を受信した場合に、前記編集ステップで作成されたビデオデータをビデオ作品として前記ネットワークを介して公開する公開ステップと、前記ユーザに前記公開したビデオデータに使用されている有料コンテンツの前記ライセンス料を課金する課金ステップと、を含む。前記編集ステップで一時的に使用される有料コンテンツのライセンス料は課金されない。
【発明の効果】
【０００９】
本発明によると、動画像（ビデオデータ）の編集時に、ユーザは、コンテンツを購入する必要がなくなるとともに、プレビューによって数多くのコンテンツを試すことができる。
【図面の簡単な説明】
【００１０】
【図１】サービスシステム全体の動作の概要を説明する図である。
【図２】撮像装置としてのカメラの構成を示すブロック図である。
【図３】端末装置の構成を示すブロック図である。
【図４】サーバ装置のサービスサーバの構成を示すブロック図である。
【図５】サーバ装置の外部記憶装置の構成を示す図である。
【図６】会員管理データベース（ＤＢ）の構造を示す図である。
【図７】コンテンツ管理データベース（ＤＢ）の構造を示す図である。
【図８】作品管理データベース（ＤＢ）の構造を示す図である。
【図９】会員登録の手順を示すフローチャートである。
【図１０】サービスサーバへのアップロードの手順を示すフローチャートである。
【図１１】ビデオ作品の作成及び公開の手順を示すフローチャートである。
【図１２】サービスサーバの動画編集部が実行する編集処理を示すフローチャートである。
【発明を実施するための形態】
【００１１】
図１を参照して、実施形態に係るサービスシステム全体の動作の概要を説明する。サービスシステムは、電子カメラ１（以下、カメラと呼ぶ）と、端末装置３と、サービスサーバ５と、画像公開サーバ９と、課金サーバ１１と、これらを互いに接続するネットワーク１３と、を備える。ネットワーク１３は、例えばインターネットである。サービスサーバ５は、会員に動画像編集などのサービスを提供し、外部記憶装置７と接続する。例えば、課金サーバ１１は、クレジットカード会社などの決済サービス提供者のサーバであり、画像公開サーバ９は、インターネット上の動画共有サイトを提供するサーバでよい。なお、サービスサーバ５と外部記憶装置７は、サーバ装置８を構成する。
【００１２】
カメラ１は、会員（又はユーザ）の操作に応じて、カメラ１で撮影した動画像をサービスサーバ５に送信して、外部記憶装置７は、記憶部としてサービスサーバ５を介してこの動画像を記憶する。サービスサーバ５は、動画像を編集して、公開するためのビデオ作品に相当するビデオデータを生成する。この時、サービスサーバ５は、外部記憶装置７のコンテンツライブラリ（コンテンツデータベース）８３ａに記憶されている音楽やイラスト画像などの有料の著作権付きコンテンツを使用する。ビデオ作品が公開される場合に、サービスサーバ５は、ビデオ作品に使用された著作権付きコンテンツのライセンス料（使用料）を課金することを、会員が使用する端末装置３に通知する。端末装置３が、会員が課金を了承したことを示す信号（情報）をサービスサーバ５に送信した場合に、サービスサーバ５は、課金サーバ１１に会員の情報（口座番号などの情報）と課金金額の情報を送って課金処理を行うとともに、ビデオ作品に著作権付きコンテンツのライセンス情報を付加して画像公開サーバ９に送信して、画像公開サーバ９を介してビデオ作品を公開する。なお、画像公開サーバ９は、サーバ装置８に含まれてもよい。
【００１３】
図２は、撮像装置としてのカメラ１の構成を示すブロック図である。カメラ１は、動画像の撮影が可能なスチールカメラ又はビデオカメラである。カメラ１は、通信機能を有し画像送信装置としても機能する。カメラ１は、例えば、Ｗｉ−Ｆｉなどの無線ＬＡＮによって、アクセスポイントを経由してネットワーク１３に接続する。通信機能を有するカメラ１は、電子カメラ機能付きの携帯電話でもよく、この場合は、携帯電話網を経由して、ネットワーク１３に接続する。なお、カメラ１が通信機能を有さない場合に、通信機能を有する他の画像送信装置（インターネット接続可能なコンピュータなど）が、カメラ１で撮影した動画像を取り込んで、サービスサーバ５に動画像ファイルとして送信してもよい。
【００１４】
カメラ１は、撮像部２１と、画像処理部２２と、表示部２３と、メモリインタフェース２５と、コントローラ２７と、アカウントメモリ２８と、操作部２９と、通信インタフェース３０と、を備え、これらはバス３２で電気的に接続されている。表示部２３は、液晶ディスプレイパネル（ＬＣＤパネル）２４に電気的に接続し、メモリインタフェース２５はメモリカード２６に電気的に接続する。
【００１５】
撮像部２１は、撮影レンズと撮像素子などを有し、画像データを取得する。画像処理部２２は、画像データにγ補正、色変換、デモザイキング、圧縮・伸長等の処理を施す。画像処理部２２は、ＣＰＵや演算処理回路（ＡＳＩＣ、ＦＰＧＡ等）などから構成されてよい。また、画像処理部２２は、表示用の画像データを、表示部２３へ出力してよい。表示部２３は、画像処理部２２から出力される画像データに基づく画像や、カメラ１の各種機能を設定するためのメニュー等を液晶ディスプレイパネル２４へ表示させる。メモリインタフェース２５は、メモリカード２６と接続するためのインタフェースである。メモリカード２６は、例えば圧縮された画像データを保存する。コントローラ２７は、撮像部２１と、画像処理部２２と、表示部２３と、メモリインタフェース２５と、アカウントメモリ２８と、操作部２９とを制御する。アカウントメモリ２８は、カメラ１を使用するユーザを会員としてサービスサーバ５で認証するための識別子（ＩＤ）やネットワーク１３上のカメラ１のアドレスを格納する。操作部２９は、ユーザがカメラ１を操作するためのボタン等から構成される。通信インタフェース３０は、カメラ１がネットワーク１３に接続してネットワーク１３上のサーバなどの機器と通信するためのインタフェースである。
【００１６】
図３は、端末装置３の構成を示すブロック図である。端末装置３は、例えばパーソナルコンピュータや携帯端末であるが、ここでは、携帯端末として示される。端末装置３は、通信インタフェース４１と、タッチパネルコントローラ（タッチコントローラ）４２と、表示部４３と、メモリインタフェース４５と、コントローラ４７と、アカウントメモリ４８と、操作部４９と、情報メモリ５０とを備え、これらはバス５１を介して電気的に接続される。タッチパネルコントローラ４２と、表示部４３は、タッチパネル４４と電気的に接続し、メモリインタフェース４５はメモリカード４６に電気的に接続する。
【００１７】
通信インタフェース４１は、端末装置３がネットワーク１３に接続してネットワーク１３上のサーバなどの機器と通信するためのインタフェースである。タッチパネル４４は、文字や画像を表示する液晶ディスプレイパネルと、そのディスプレイパネル表面の押圧位置を検出するセンサとで構成され、端末装置３のユーザへの情報提示とユーザからの指示入力に用いられる。タッチパネルコントローラ４２は、例えば、タッチパネル４４上の操作位置（指又はペン等で押圧又は接触された位置）を検出して出力する。表示部４３は、例えば端末装置３の各種機能を操作するためのメニューをタッチパネル４４へ表示させる。メモリインタフェース４５は、メモリカード４６と接続するためのインタフェースである。メモリカード４６は、種々のデータを保存する。コントローラ４７は、通信インタフェース４１と、タッチパネルコントローラ（タッチコントローラ）４２と、表示部４３と、メモリインタフェース４５と、アカウントメモリ４８と、操作部４９と、情報メモリ５０とを制御する。コントローラ４７は、データを格納するメモリ、所定のプログラム（例えばＷｅｂブラウザ）を格納するメモリ、この所定のプログラムを実行するＣＰＵ（中央演算処理装置）等から構成されている。アカウントメモリ４８は、端末装置３を使用するユーザをサービスサーバ５で会員として認証するための識別子（ＩＤ）やネットワーク１３上の端末装置３のアドレスを格納する。操作部４９は、タッチパネル４４のタッチ操作が使えない電源のＯＮ／ＯＦＦ操作などを受け付けるスイッチ等から構成される。情報メモリ５０は、例えば、画像データを保存する。
【００１８】
図４は、サーバ装置８のサービスサーバ５の構成を示すブロック図である。サービスサーバ５は、通信インタフェース６１と、動画編集部６２（以下、編集部と呼ぶ）と、品質低下部６３と、周辺機器インタフェース（ペリフェラルインタフェース）６５と、ＣＰＵ（中央演算処理装置）６７と、作業メモリ６８と、Ｗｅｂページ生成部６９と、会員管理データベース（ＤＢ）７０と、コンテンツ管理データベース（ＤＢ）７１と、作品管理データベース（ＤＢ）７２とを備え、これらはバス７３で電気的に接続されている。サービスサーバ５は、その他に、表示部（モニタ）や、ＣＰＵ６７が実行するプログラムを記憶するメモリ（ＲＯＭ）を有する。編集部６２、品質低下部６３、及び、Ｗｅｂページ生成部６９は、それぞれ、ＣＰＵや演算処理回路（ＡＳＩＣ、ＦＰＧＡ等）などから構成されてよい。
【００１９】
通信部としての通信インタフェース６１は、サービスサーバ５がネットワーク１３に接続してネットワーク１３上の端末装置やサーバなどの機器と通信するためのインタフェースである。
【００２０】
編集部６２は、ユーザがカメラ１や端末装置３でアップロードした少なくとも1つの動画像を含む素材と、外部記憶装置７に記憶されサーバ装置８が提供するコンテンツとを合成してビデオデータ（ビデオ作品）を生成する。なお、編集に用いられる素材は、ユーザ自身がアップロードした動画像や静止画像、音声データ、テキストデータなどに加えてユーザ自身が過去に当該編集部６２で編集して得られたビデオ作品などの作品データや、編集途中で保存した中間データも含まれる。また、コンテンツには、プロが提供した音楽やイラストなどの有料のコンテンツの他に、サービスサーバ５に登録されたユーザが他のユーザに公開した素材や作品データが含まれる。なお、アップロードされた素材、編集して得られた作品データや中間データは外部記憶装置７に記憶される。
【００２１】
また、編集部６２は、好適には、品質低下部６３が品質を低下させた低品質の有料コンテンツと素材とを合成して、編集中の作品を確認するためのプレビュー用のビデオデータを生成する。なお、品質が低下されていない高品質の有料コンテンツと素材とを合成してプレビュー用のビデオデータを生成してもよく、この場合には、公開用とプレビュー用のビデオデータは同じになる。
【００２２】
品質低下部６３は、有料コンテンツが無断で利用されることへの備えとして、外部記憶装置７のコンテンツライブラリ８３ａに格納された有料コンテンツの品質を低下し、編集部６２は、低品質の有料コンテンツを用いて端末装置３でのプレビュー用のビデオデータを作成できる。品質低下部６３は、コンテンツのデータ（コンテンツデータ）に対して、周波数帯域を所定の幅に低減する処理を実行するか、又は、非可逆のデータ圧縮処理した後に伸張処理を実行する。コンテンツデータは、音楽などの音声データの他、イラストなどの画像データでもよい。
【００２３】
例えば、品質低下部６３は、コンテンツデータ（特に音声データ）を所定の幅の周波数帯域に制限するフィルタである。また、品質低下部６３は、非可逆でコンテンツデータの圧縮を行うデータ圧縮手段（データ圧縮部）と、圧縮されたコンテンツデータの伸張を行うデータ伸張手段（データ伸張部）を備えている。非可逆のデータ圧縮後に伸張されたコンテンツデータは、元のコンテンツデータ（圧縮前のコンテンツデータ）に比べて品質が低下している。なお、品質低下部６３は、元のコンテンツデータの品質がわかるように、元のコンテンツデータの一部に対して品質を低下させなくてもよい。
【００２４】
周辺機器インタフェース６５は、外部記憶装置７などの周辺機器と接続するためのインタフェースである。ＣＰＵ（中央演算処理装置）６７は、サービスサーバ５全体の動作を制御する制御部である。作業メモリ６８は、ＣＰＵ６７、編集部６２、品質低下部６３、Ｗｅｂ（ウェブ）ページ生成部６９等の作業領域（Ｗｏｒｋ  Ａｒｅａ）として使用される。Ｗｅｂページ生成部６９は、端末装置３がＷｅｂブラウザで表示するＷｅｂページのデータ（ＨＴＭＬデータなど）を生成する。会員管理データベース（ＤＢ）７０と、コンテンツ管理データベース（ＤＢ）７１と、作品管理データベース（ＤＢ）７２については後述される。
【００２５】
制御部としてのＣＰＵ６７は、通信プログラムを実行して、端末装置３と画像公開サーバ９とセッション（接続）を確立し、編集部６２で生成したビデオデータを、通信インタフェース６１を介して、所定の通信プロトコルで端末装置３や画像公開サーバ９に送信する。例えば、通信プロトコルは、ＴＣＰ／ＩＰであり、ＣＰＵ６７は、ビデオデータを送信するためのＩＰパケットを生成する。なお、本実施形態において、編集部６２と、ＣＰＵ６７と、通信インタフェース６１は、編集中の作品を端末装置３で確認できるように、プレビュー用のビデオデータを端末装置３に送信する。また、ＣＰＵ６７と通信インタフェース６１は、公開用のビデオデータをビデオ作品としてネットワーク１３を介して公開する公開部７７を構成する。
【００２６】
また、ＣＰＵ６７は、通信プログラムを実行して、課金サーバ１１とセッション（接続）を確立し、会員の情報（口座番号などの情報）と、有料コンテンツのライセンス料（使用料）を含む課金金額の情報を、通信インタフェース６１を介して、所定の通信プロトコルで課金サーバ１１に送信する。ＣＰＵ６７と通信インタフェース６１は、公開用のビデオデータの作成に使用された有料コンテンツのライセンス料を、会員に課金する課金部７９を構成する。このライセンス料は、後述のコンテンツ管理データベース（ＤＢ）７１に登録されたコンテンツ（コンテンツＩＤ）毎の公開料金に基づいて、ＣＰＵ６７によって計算できる。なお、課金部７９は、会員に対しては、所定期間毎に所定の会費を課金してよい。課金部７９は、会費を支払っている会員についてのみ、編集部６２で編集過程においてビデオデータを編集する時に一時的に使用された有料コンテンツに対するライセンス料は課金せず、ビデオ作品として公開されたビデオデータに使用されている有料コンテンツに対するライセンス料を課金する。会費を支払っていない会員に対しては、課金部７９が、編集部６２で編集過程においてビデオデータを編集する時に一時的に使用された有料コンテンツに対しても所定の金額を課金するようにしてもよい。
【００２７】
図５は、サーバ装置８の外部記憶装置７の構成を示す。外部記憶装置７（記憶部）は、例えばハードディスク装置であり、サービスサーバ５と接続するためのインタフェース８１と、記憶媒体８３とを備える。記憶媒体８３は、コンテンツライブラリ８３ａと、作品メモリ８３ｂと、情報メモリ８３ｃとを備える。なお、コンテンツライブラリ８３ａ、作品メモリ８３ｂ、情報メモリ８３ｃは、それぞれ単独の記憶媒体であってもよい。コンテンツライブラリ８３ａにおいて、音楽やイラスト画像などの著作権付きコンテンツ（有料のコンテンツでも無料のコンテンツでもよい）が記憶されている。作品メモリ８３ｂにおいて、ビデオ作品ファイルが、会員ごとに用意されたホームディレクトリに記憶されている。ビデオ作品ファイルは、編集中または編集後のビデオデータと、そのビデオデータに使用されている素材とコンテンツが記憶されたファイルである。素材には、カメラ１で取得され、そのカメラや他の装置でサービスサーバ５にアップロードされた動画像に加えて、ユーザがアップロードした静止画や音声データなど他の形式のデータも含まれる。なお、ビデオ作品ファイルに素材が合成されたビデオデータに加えて、素材そのものも含めるのは、サーバ装置８から素材やコンテンツが削除されても、再編集できるようにするためである。情報メモリ８３ｃにおいて、その他のデータが記憶されている。
【００２８】
図６は、会員管理データベース（ＤＢ）７０の構造を示す。会員毎の一件のデータ（レコード）は、複数のフィールドで構成され、会員ＩＤ、会員氏名、会員住所、会員電話番号、会員電子メール（Ｅｍａｉｌ）アドレス、会員種別、会員登録日、課金口座番号、作品メモリ８３ｂ中の会員ホームディレクトリ、作品メモリ８３ｂの会員毎のメモリ使用量の情報を格納する。課金口座番号は、クレジットカード番号でよい。なお、会員毎の一件のデータは、その会員が無料会員であるか、有料会員であるかの情報を含んでもよい。有料会員は、一定期間毎に会費が課金される会員であり、無料会員は、会費が課金されない会員である。会員種別フィールドに有料会員／無料会員を識別する情報が登録される。
【００２９】
図７は、コンテンツ管理データベース（ＤＢ）７１の構造を示す。コンテンツ毎の一件のデータ（レコード）は、複数のフィールドで構成され、コンテンツＩＤ、コンテンツライブラリ８３ａ中のコンテンツディレクトリ、コンテンツファイル名、コンテンツ所有者（ホルダ）の氏名と住所、コンテンツ所有者の電話番号、コンテンツ所有者の電子メール（Ｅｍａｉｌ）アドレス、コンテンツ使用料を振込むための金融機関の口座番号、コンテンツ登録日、コンテンツの種類、編集使用料金（編集時に使用したことに対するライセンス料の単価）、公開料金（公開したことに対するライセンス料の単価）の情報から構成される。口座番号は、クレジットカード番号でもよい。
【００３０】
図８は、作品管理データベース（ＤＢ）７２の構造を示す。ビデオ作品毎の一件のデータ（レコード）は、複数のフィールドで構成され、作品ＩＤ、会員ＩＤ、作品メモリ８３ｂ中の作品ディレクトリ、作品ファイル名、作品のデータサイズ、作品の最終更新日時、作品の公開日時、作品の公開先アドレス（即ち画像公開サーバ９のアドレス）、作品に使用されたコンテンツ数、作品に使用されたコンテンツＩＤの情報から構成される。
【００３１】
図９は、端末装置３からサービスサーバ５への会員登録の手順を示すフローチャートである。なお、フローチャートにおいて、記号「Ｓ」はステップを意味する。
【００３２】
Ｓ１０１において、端末装置３は、サービスサーバ５に接続要求を送信する。Ｓ１０２において、サービスサーバ５は接続を許可し、サービスサーバ５が提供可能なサービスのリストであるサービス一覧を、端末装置３の所定のプログラムによって表示可能なデータ形式で、端末装置３に送信する。Ｓ１０３において、ユーザは、端末装置３のタッチパネル４４に触れるなどして、タッチパネル４４にメニュー表示されたサービス一覧から「会員登録」を選択し、端末装置３は、「会員登録」が選択されたことを示す情報（又は信号）をネットワーク１３を介してサービスサーバ５に送信する。
【００３３】
端末装置３から「会員登録」が選択されたことを示す情報を受信したサービスサーバ５では、Ｓ１０４において、Ｗｅｂページ生成部６９により、端末装置３のユーザが会員登録のために使用する会員登録ページのデータ（例えばＨＴＭＬデータ）を生成して端末装置３に送信する。会員登録ページを受信した端末装置３は、Ｓ１０５において、コントローラ４７が実行するＷｅｂブラウザ等の所定のプログラムによって、タッチパネル４４の液晶ディスプレイパネルに会員登録ページを表示する。Ｓ１０６において、ユーザは、会員登録ページを表示したタッチパネル４４をタッチ操作して個人情報を入力する。続いてＳ１０７において、例えば、ユーザがタッチパネル４４に表示された会員登録ページの送信ボタンをタッチすることにより、端末装置３は、通信インタフェース４１を介して個人情報をサービスサーバ５に送信する。
【００３４】
個人情報を受信したサービスサーバ５は、Ｓ１０８において、ＣＰＵ６７を介して会員ＩＤを生成し、Ｓ１０９において、ＣＰＵ６７を介して、会員ＩＤや個人情報（会員氏名、会員住所、会員電話番号、会員電子メール（Ｅｍａｉｌ）アドレス、課金口座番号）などの情報を会員管理データベース７０に登録する（会員登録ステップ）。続いてＳ１１０において、サービスサーバ５は、会員ＩＤを端末装置３に送信する。会員ＩＤを受信した端末装置５は、Ｓ１１１においてアカウントメモリ４８に会員ＩＤを記憶する。そして、Ｓ１１２においてサービスサーバ５との接続を解除する。
【００３５】
なお、Ｓ１１１で端末装置３のアカウントメモリ１４８に記憶された会員ＩＤは、会員が何らかの情報処理装置でサービスサーバ５にアクセスする時の認証に使用される。従って、カメラ１がサービスサーバに接続できるように、有線通信または無線通信、或いはメモリカードを使用して、会員ＩＤの複製をカメラ１のアカウントメモリ２８に記憶する。また、以上の説明では、端末装置３を用いて会員登録する手順を示したが、カメラ１で会員登録しても勿論よい。
【００３６】
図１０は、カメラ１がサービスサーバ５へ、撮影した動画像データなど、ビデオ作品を構成するためのデータを素材としてアップロードする手順を示すフローチャートである。
【００３７】
カメラ１は、表示部２３に表示されたメニューから、ユーザ（即ち会員）の操作部２９の操作により、アップロードモードが選択されたことを検出する（Ｓ２０１）。カメラは、Ｓ２０２において、ユーザがメモリカード２６内に存在するファイルから選択したアップロードする素材のファイルを特定し、Ｓ２０３において、ユーザの操作部２９のアップロード開始を指示する操作を検出する。Ｓ２０４において、カメラ１はアカウントメモリ２８から会員ＩＤが読み出し、Ｓ２０５において、会員ＩＤの情報を含む接続要求をサービスサーバ５に送信する。
【００３８】
Ｓ２０６において、サービスサーバ５は、受信した接続要求に含まれた会員ＩＤを認証する。認証において、受信した会員ＩＤが会員管理データベース７０に登録されているか否か判定される。会員ＩＤが会員管理データベース７０に登録されている場合に、Ｓ２０７において、サービスサーバ５は、カメラ１に接続許可を送信する。Ｓ２０８において、カメラ１は、Ｓ２０２で選択された素材ファイルをメモリカード２６から読み出す。Ｓ２０９において、カメラ１は、読み出した素材ファイルをサービスサーバ５に送信する。Ｓ２１０において、サービスサーバ５は、受信した素材ファイルを、会員管理データベース（ＤＢ）７０において会員ＩＤで特定されるホームディレクトリに記憶させる（記憶ステップ）。カメラ１は、Ｓ２１１において、選択したファイルが全て送信されたか否か判断し、選択したファイルが全て送信されていないと判断された場合、カメラ１は、Ｓ２０８とＳ２０９の処理を繰り返す。一方、選択したファイルが全て送信されたと判断された場合、Ｓ２１２において、カメラ１は、サービスサーバ５との接続を解除する。
【００３９】
以上の説明では、カメラ１から撮影した動画像データなどをサービスサーバ５にアップロードする手順を示したが、カメラ１が撮影した動画像データなどを記憶した、ネットワーク１３を介してサービスサーバ５にアクセス可能な他の装置からアップロードしても勿論よい。
【００４０】
図１１は、ビデオ作品の作成及び公開の手順を示すフローチャートである。Ｓ３０１において、端末装置３は、会員ＩＤの情報を含む接続要求をサービスサーバ５に送信する。Ｓ３０２において、サービスサーバ５は、受信した接続要求に含まれた、会員ＩＤを認証する。受信した会員ＩＤが会員管理データベース７０に登録されている場合、Ｓ３０３において、サービスサーバ５は、端末装置３のＷｅｂブラウザ等の所定のプログラムによって表示可能なデータ形式で、サーバ装置８が提供可能なサービスの一覧を端末装置３に送信する。Ｓ３０４において、端末装置３は、受信したサービス一覧をユーザが選択できるようにタッチパネル４４にメニュー表示する。
【００４１】
Ｓ３０５において、タッチパネル４４にメニュー表示されたサービス一覧から「編集サービス」が選択されたか否か判定する。「編集サービス」が選択された場合に、処理はＳ３０６に進む。「編集サービス」が選択されていない場合に、処理はＳ３１９に進む。Ｓ３０６において、端末装置３は、「編集サービス」が選択されたことを示す情報（又は信号）をサービスサーバ５に送信する。Ｓ３０７において、サービスサーバ５は、端末装置３の所定のプログラムによって表示可能なデータ形式で、ビデオ作品の編集に使用する編集ページと、コンテンツ管理データベース（ＤＢ）７１内の登録されているコンテンツのリストであるコンテンツ一覧と、ユーザがこれまでにアップロードした素材一覧とを端末装置３に送信する（Ｗｅｂページ送信ステップ）。所定のプログラムは、例えば、動画像再生可能なＷｅｂブラウザであり、動画像再生可能なプラグインが組み込まれたＷｅｂブラウザでもよい。
【００４２】
Ｓ３０８において、端末装置３のコントローラ４７は、所定のプログラムを実行して、編集ページとコンテンツ一覧と素材一覧とを、表示部４３を介してタッチパネル４４に表示する。Ｓ３０９において、所定のプログラムは、タッチパネル４４や操作部４９から入力された編集ページに対するユーザの編集操作を検出する。編集操作は、タッチパネル４４に表示された素材一覧からベースとなる動画像を選択し、その動画像と他の素材やコンテンツを合成・編集するように指示するなどの編集ページ上でのユーザの操作である。Ｓ３１０において、所定のプログラムは、編集操作に対応するコマンドをサービスサーバ５に送信する。このコマンドを受信したサービスサーバ５は、Ｓ３１１において、受信したコマンドが編集を終了することを指示するコマンドであるか否か判定する。Ｓ３１１の判定が“ＹＥＳ（肯定）”の場合に、処理はＳ３１２に進み、Ｓ３１１の判定が“ＮＯ（否定）”の場合に、処理はＳ３１４に進む。
【００４３】
Ｓ３１２において、サービスサーバ５の動画編集部６２は、動画像のビデオ作品のファイルを作成／更新する。動画編集部６２は、作成の場合は、作成されたビデオデータと、そのビデオデータに使用された素材とコンテンツを含んだビデオ作品ファイルを生成し、更新の場合には、ビデオデータと更新すると共に、新しくビデオデータに合成された素材とコンテンツ追加してビデオ作品ファイルを生成する。そして、動画編集部６２は、生成されたビデオ作品ファイルを作品メモリ８３ｂに保存する（作成ステップ）。ここで、新しくビデオ作品に使用された素材とは、後述のＳ４０４において、ビデオデータの編集（作成）のために、編集部６２が作品メモリ８３ｂから読み出した素材（又はビデオ作品）である。新しくビデオ作品に使用されたコンテンツとは、ビデオデータの編集（作成）のために、後述のＳ４０６において、編集部６２がコンテンツライブラリ８３ａから読み出した有料又は無料のコンテンツである。Ｓ３１３において、サービスサーバ５は、Ｓ３１２で作成又は更新されたビデオデータに使用されているコンテンツを、作品管理データベース（ＤＢ）７２内のそのビデオ作品に関するレコードに更新登録する。その後、処理はＳ３０３に戻る。
【００４４】
Ｓ３１４において、サービスサーバ５の編集部６２は、編集過程として後述の編集処理を行う（編集ステップ）。Ｓ３１５において、編集中のビデオデータをプレビューするための表示動画像を端末装置３に送信する。Ｓ３１６において、端末装置３は、編集ページに表示動画像を表示する。ここで、端末装置３は、サービスサーバ５から送信された最新のビデオデータの表示動画像を表示する。Ｓ３１７において、端末装置３は、ユーザの編集作業が終了したか判定する。即ち、端末装置３は、Ｓ３１０において編集を終了するコマンドが送信されたか判定する。
【００４５】
Ｓ３１８において、端末装置３は、サービス一覧から公開サービスが選択されたか判定する。Ｓ公開サービスが選択されていない場合に、処理は、Ｓ３０５に戻る。公開サービスが選択されている場合に、Ｓ３１９において、「公開サービス」が選択されたことを示す情報（又は信号）をサービスサーバ５に送信する。Ｓ３２０において、Ｓ３１９で送信された情報を受信したサービスサーバ５は、ユーザが公開作業をするための公開作業ページ、作品管理データベース（ＤＢ）７２に登録されているビデオ作品の一覧（作品一覧）、及び、ビデオ作品を公開可能な画像公開サーバの一覧を送信する。
【００４６】
Ｓ３２１において、端末装置３は、公開作業ページをタッチパネル４４に表示する。Ｓ３２２において、端末装置３は、公開作業ページで選択された公開するビデオ作品と公開先の画像公開サーバを特定する情報をサービスサーバ５に送信する。Ｓ３２３において、Ｓ３２２で送信された情報を受信したサービスサーバ５は、端末装置３で選択されたビデオ作品に対応するビデオ作品ファイルに含まれたビデオデータに使用されている全コンテンツに対するライセンス料を計算して、ライセンス料の情報を端末装置３に送信する（情報送信ステップ）。Ｓ３２３で計算されるライセンス料は、Ｓ３１４の編集過程において編集部６２でビデオデータを編集又は作成する時に一時的に使用された有料コンテンツに対するライセンス料は含まない。即ち、Ｓ３２３で計算されるライセンス料は、編集中にビデオデータに合成されたが、その後ビデオデータから取り除かれた有料コンテンツに対するライセンス料は含まない。サービスサーバ５は、コンテンツ管理データベース７１におけるコンテンツ毎の公開料金を参照して、ライセンス料を計算する。
【００４７】
Ｓ３２４において、端末装置３は、ライセンス料、及び、ライセンス料を支払うか否か選択するための画面を、タッチパネル４４に表示する。Ｓ３２５において、ライセンス料の支払いが選択（承認）されたか否か判定される。ライセンス料の支払いが選択（承認）されない場合に、処理はＳ３０４に戻る。ライセンス料の支払いが選択（承認）された場合に、Ｓ３２６において、ライセンス料の支払いが選択（承認）されたことを示す情報が、サービスサーバ５に送信される（承認ステップ）。
【００４８】
Ｓ３２７において、Ｓ３２６で送信された情報を受信したサービスサーバ５は、会員管理データベース７０に登録された会員ＩＤに基づいて特定される課金口座にライセンス料を課金するために、課金サーバ１１に課金口座の情報と課金金額の情報に送信する（課金ステップ）。課金サーバ１１での課金処理が確認されると、Ｓ３２８において、サービスサーバ５は、課金結果の通知を端末装置３に送信する。Ｓ３２９において、端末装置３は、課金結果の通知をタッチパネル４４に表示した後、Ｓ３０４に戻る。Ｓ３３０において、サービスサーバ５は、Ｓ３２２で選択された画像公開サーバ９に公開するビデオ作品のビデオデータを送信する（送信ステップ）。
【００４９】
なお、編集過程においてビデオデータに合成されるコンテンツは、品質を低下させたデータを使用し、Ｓ３３０で公開サーバにビデオデータ送信する前に、本来の品質のコンテンツをビデオデータに合成して公開用のビデオデータを生成するようにしても良い。
【００５０】
図１２は、Ｓ３１４の編集過程（編集ステップ）においてサービスサーバ５の編集部６２が実行する編集処理を示すフローチャートである。Ｓ４０１において、編集部６２は、端末装置３から受信したコマンドが、ビデオ作品ファイルを選択するコマンドであるか否か判定する。Ｓ４０１の判定が“ＹＥＳ（肯定）”の場合に、処理はＳ４０２に進む。Ｓ４０１の判定が“ＮＯ（否定）”の場合に、処理はＳ４０３に進む。Ｓ４０２において、編集部６２は、作品メモリ８３ｂからビデオ作品ファイルを読み出す。例えば、コマンドは、作品ＩＤや作品ファイル名をパラメータとして含み、編集部６２は、作品管理データベース（ＤＢ）７２から作品ディレクトリを参照して、作品メモリ８３ｂからビデオ作品ファイルを読み出す。Ｓ４０２の後、処理はＳ４０８に進む。
【００５１】
Ｓ４０３において、編集部６２は、端末装置３から受信したコマンドがビデオ作品ファイルに含まれない素材を使用するコマンドであるか否か判定される。Ｓ４０３の判定が“ＹＥＳ（肯定）”の場合に、処理はＳ４０４に進む。Ｓ４０３の判定が“ＮＯ（否定）”の場合に、処理はＳ４０５に進む。Ｓ４０４において、編集部６２は、コマンドに示された素材を特定する情報に対応する素材を作品メモリ８３ｂから読み出す。
【００５２】
Ｓ４０５において、編集部６２は、端末装置３から受信したコマンドがビデオ作品ファイルに含まれないコンテンツを使用するコマンドであるか否か判定される。Ｓ４０５の判定が“ＹＥＳ（肯定）”の場合に、処理はＳ４０６に進む。Ｓ４０５の判定が“ＮＯ（否定）”の場合に、処理はＳ４０７に進む。Ｓ４０６において、編集部６２は、コマンドに示されたコンテンツを特定する情報に対応するコンテンツをコンテンツライブラリ８３ａから読み出す。
【００５３】
Ｓ４０７において、編集部６２は、例えばビデオデータに読み出した素材及び／又はコンテンツを合成する。また、ここで、編集部６２は、ビデオデータから端末装置３からのコマンドの指定に応じて、指定された箇所を削除してよい。なお、編集部６２は、品質低下部６３でコンテンツの品質を低下させ（品質低下ステップ）、低品質のコンテンツをビデオ作品に合成してもよい。品質低下部６３は、コンテンツは音声である場合に、音声の帯域が所定の幅に低減してよい。品質低下部６３は、コンテンツを非可逆でデータ圧縮（データ圧縮ステップ）した後、データ伸長してよい（データ伸長ステップ）。Ｓ４０７の後、処理はＳ４０８に進む。Ｓ４０８において、編集部６２は、編集中のビデオ作品のビデオデータをプレビューするための表示動画像を生成又は更新する。
【００５４】
以上のように、本実施形態において、編集部６２（編集手段）は、ユーザがネットワーク１３を介してアップロードした少なくとも1つの動画像を含む素材と、記憶部（外部記憶装置７：記憶手段）に記憶されているコンテンツを、ネットワーク１３に接続された端末装置３におけるユーザの操作に応じて編集してビデオデータを作成する。プレビュー送信部７５（プレビュー送信手段）は、ネットワーク１３に接続された端末装置３におけるユーザの操作に応じて編集部６２が作成したビデオデータのプレビュー用の表示動画像を、端末装置３でプレビューとして再生するために端末装置３に送信する。公開部７７（公開手段）は、編集部６２が作成したビデオデータをビデオ作品としてネットワーク１３を介して公開する。課金部７９（課金手段）は、有料コンテンツに対するライセンス料を、端末装置３を操作したユーザに課金する。
【００５５】
−作用効果−
本実施形態によると、課金部７９は、ビデオ作品として公開されたビデオデータに使用されている有料コンテンツに対するライセンス料を課金し、編集部７９での編集過程においてビデオデータを編集する時に一時的に使用された有料コンテンツに対するライセンス料は課金しない。従って、ユーザは、動画像（ビデオデータ）の編集時にコンテンツを購入することがなくなるとともに、プレビューによって数多くのコンテンツを試すことができる。特に、ユーザは、ビデオデータ（動画像）の編集時に一時的に使用するようなコンテンツを購入する必要がない。
【００５６】
通信部６１は、端末装置３から送信された信号であって、端末装置３が実行する所定のプログラムにより検出されたユーザの操作に対応する信号を受信する。編集部６２は、ユーザの操作に対応する信号に対応して、素材とコンテンツを編集してビデオデータを作成する。従って、ユーザは、操作部４９を介した端末装置３に対する操作によって、好適にビデオデータを編集・作成できる。
【００５７】
例えば、所定のプログラムは、端末装置３においてＷｅｂページを表示するＷｅｂブラウザであり、サーバ装置８は、端末装置３で表示されるＷｅｂページを生成するＷｅｂページ生成部６９（Ｗｅｂページ生成手段）を更に備える。そして、Ｗｅｂページ生成部６９は、サーバ装置８の編集部６２を操作するためのＷｅｂページを生成する。通信部（通信インタフェース６１）は、サーバ装置８の編集部６２を操作するための生成されたＷｅｂページを端末装置３に送信する。この場合に、既存のＷｅｂブラウザを利用して、ユーザは、好適にビデオデータを編集・作成できる。
【００５８】
サーバ装置８は、有料コンテンツの品質を低下させる品質低下部６３（品質低下手段）を更に備える。編集部６２は、編集過程においては少なくとも1つの動画像を含む素材と、品質低下部６３で品質を低下させた有料コンテンツとを合成してビデオデータを作成する。公開部７７が公開するビデオ作品は、編集部６２が作成したビデオデータであって、少なくとも1つの動画像を含む素材と、品質を低下さない有料コンテンツとを合成したビデオデータである。従って、編集過程においては作成されたビデオデータを端末装置３でプレビューした場合でも、高品質の有料コンテンツが無断で利用されるような事態が発生しない。
【００５９】
例えば、有料コンテンツは音声であって、品質低下部６３は音声の帯域を所定の幅に低減する。この場合に、既存のフィルタを利用して、簡易に音声の有料コンテンツを低品質にできる。また、例えば、品質低下部６３は、データ圧縮部とデータ伸長部とを備え、有料コンテンツの品質は、データ圧縮部で非可逆圧縮された後データ伸長部で伸長される。この場合に、既存のデータ圧縮・伸張技術を利用して、簡易に有料コンテンツを低品質にできる。
【００６０】
サーバ装置８は、課金口座の情報を含む会員情報を登録する会員管理データベース７０と、会員管理データベース７０に登録された会員情報により会員を認証する会員認証部（ＣＰＵ６７）と、を更に備える。端末装置３のユーザは、会員認証部により認証された会員であり、課金部７９は会員に対して課金する。従って、サーバ装置８を利用する端末装置３のユーザを特定の会員に限定できる。
【００６１】
課金部７９は、有料会員に対しては、所定期間毎に所定の会費を課金する。課金部７９は、有料会員についてのみ、ビデオ作品として公開されたビデオデータに使用されている有料コンテンツに対するライセンス料を課金するが、編集部６２で編集過程においてビデオデータを編集する時に一時的に使用された有料コンテンツに対するライセンス料は課金しない。従って、無料会員には課金されない。また、編集過程において作成されるプレビュー用のビデオデータなどに一時的に使用された有料コンテンツに対するライセンス料は課金されない。
【００６２】
なお、本発明は上記の実施形態とその変形例に限定されずに、その技術的な思想の範囲内において種々の変更がなしうることは明白である。
【符号の説明】
【００６３】
１  カメラ
３  端末装置
５  サービスサーバ
７  外部記憶装置（記憶手段）
８  サーバ装置
９  画像公開サーバ
１１  課金サーバ
２７  コントローラ
２８  アカウントメモリ
４４  タッチパネル
４７  コントローラ
４８  アカウントメモリ
６２  動画編集部（編集手段）
６３  品質低下部（品質低下手段）
６９  Ｗｅｂページ生成部（Ｗｅｂページ生成手段）
７０  会員管理データベース
７１  コンテンツ管理データベース
７２  作品管理データベース
７５  プレビュー送信部（プレビュー送信手段）
７７  公開部（公開手段）
７９  課金部（課金手段）
８３  記憶媒体
８３ａ  コンテンツライブラリ
８３ｂ  作品メモリ
８３ｃ  情報メモリ
【図１】
2013125346.tif 000003
【図２】
2013125346.tif 000004
【図３】
2013125346.tif 000005
【図４】
2013125346.tif 000006
【図５】
2013125346.tif 000007
【図６】
2013125346.tif 000008
【図７】
2013125346.tif 000009
【図８】
2013125346.tif 000010
【図９】
2013125346.tif 000011
【図１０】
2013125346.tif 000012
【図１１】
2013125346.tif 000013
【図１２】
2013125346.tif 000014